(57)【要約】      （修正有）【課題】太陽電池パネル等の支柱体を固定する際、重量を変更調整できる錘ブロック構造体を提供する。【解決手段】錘ブロック構造体Ｘでは、複数の錘ブロックＹを積載して、例えば、第１段目乃至第３段目ブロック群で構成する。複数の錘ブロックは、位置決め突起２及び複数の位置決め横溝３を備える。第１段目ブロック群Ｚ１では、位置決め突起を平行配置して、複数の錘ブロックを支柱体に載置する。第２段目ブロック群Ｚ２では、複数の位置決め横溝内に一段下の各錘ブロックの位置決め突起を嵌込んで、複数の錘ブロックを一段下の各錘ブロックに跨って積載する。第３段目である最上段目ブロック群Ｚ３では、複数の位置決め横溝内に最上段より一段下の各錘ブロックの位置決め突起を嵌込んで、１又は複数の錘ブロックを最上段より一段下の各錘ブロックに跨って積載して、錘ブロック構造体とする。【選択図】図１
0003183188.tif 000002
【実用新案登録請求の範囲】
【請求項１】
太陽電池パネル等の被支持物を支持する支柱体に載置され、前記支柱体を固定する錘ブロック構造体において、
複数の錘ブロックを積載して多段ブロック群を構成し、各段目ブロック群を１又は複数の錘ブロックで形成する錘ブロック構造体であって、
前記各錘ブロックは、
断面矩形に形成され、矩形外縁を形成する上下平面、左右平面及び前後平面を有する長尺ブロック本体と、
前記上平面に突出形成され、前記前後平面間で前記長尺ブロック本体の長手方向に延出する位置決め突起と、
前記下平面に開口形成され、前記長手方向に間隔を隔てて並設されると共に、前記長尺ブロック本体の幅方向に延出して前記左右平面に開口する複数の位置決め横溝と、
を含んで備え、
第１段目ブロック群は、
前記位置決め突起を平行配置して、複数の錘ブロックを前記下平面から前記支柱体に載置して構成され、
前記第１段目及び最上段目を除く、段目ブロック群は、
複数の前記位置決め横溝内に、一段下の各錘ブロックの位置決め突起を嵌め込んで、複数の錘ブロックを前記一段下の各錘ブロックに跨って積載して構成され、
前記最上段目ブロック群は、
複数の前記位置決め横溝内に、最上段目から一段下の各錘ブロックの位置決め突起を嵌め込んで、１又は複数の錘ブロックを前記最上段より一段下の各錘ブロックに跨って積載して構成される
ことを特徴とする錘ブロック構造体。
【請求項２】
前記位置決め突起は、
前記長尺ブロック本体の幅方向中央に配置され、
前記各位置決め横溝は、
前記長尺方向中央の両側に対称配置されると共に、
前記左右平面間のブロック幅を超える溝間隔を隔てて並設される
ことを特徴とする請求項１に記載の錘ブロック構造体。
【請求項３】
前記各錘ブロックは、
前記下平面に開口形成され、前記前後平面間で前記長尺ブロック本体の長手方向に延出すると共に、
前記各位置決め横溝に直交して前記前後平面に開口する縦溝を、備える
ことを特徴とする請求項１又は２に記載の錘ブロック構造体。
【請求項４】
複数の錘ブロックを積載して多段ブロック群を構成し、各段目ブロック群を１又は複数の錘ブロックで形成する錘ブロック構造体であって、
前記各錘ブロックは、
長尺ブロック本体と、
前記長尺ブロック本体に突出形成され、前記長尺ブロック本体の長手方向に延出する位置決め突起と、
前記位置決め突起に対峙して前記長尺ブロック本体に開口形成され、前記長手方向に間隔を隔てて並設されると共に、前記長手方向に直交する幅方向で前記長尺ブロック体を貫通する複数の位置決め横溝と、
を含んで備え、
第１段目ブロック群は、
前記位置決め突起を平行配置して、複数の錘ブロックを並設定して構成され、
前記第１段目及び最上段目を除く、段目ブロック群は、
複数の前記位置決め横溝内に、一段下の各錘ブロックの位置決め突起を嵌め込んで、複数の錘ブロックを前記一段下の各錘ブロックに跨って積載して構成され、
前記最上段目ブロック群は、
複数の前記位置決め横溝内に、最上段目から一段下の各錘ブロックの位置決め突起を嵌め込んで、１又は複数の錘ブロックを前記最上段より一段下の各錘ブロックに跨って積載して構成される
ことを特徴とする錘ブロック構造体。
【考案の詳細な説明】
【技術分野】
【０００１】
本考案は、太陽電池パネル等の被支持物を支持する支柱体に載置され、支柱体を固定する錘ブロック構造体に関する。
【背景技術】
【０００２】
太陽電池パネルの支柱体を固定する技術として、特許文献１は、太陽光発電アレイ架台を開示する。この太陽光発電アレイ架台は、複数の支柱で太陽光パネルを支持し、各支柱を複数の基礎ブロックに固定する。各基礎ブロックは、屋上面に載置され、各支柱（太陽光パネル）を屋上に固定する。
【先行技術文献】
【特許文献】
【０００３】
【特許文献１】特開２０１１−９１１６６号公報
【考案の概要】
【考案が解決しようとする課題】
【０００４】
しかし、特許文献１では、複数の支柱を基礎ブロックに固定しているので、基礎ブロックの重量を容易に変更調整できない。
【０００５】
本考案は、複数の錘ブロックを積載することで、容易に重量を変更調整できる錘ブロック構造体を提供することにある。
また、本考案は、複数の錘ブロックを積載しても、倒れ難い構造となる錘ブロック構造体を提供することにある。
【課題を解決するための手段】
【０００６】
本考案に係る請求項１では、太陽電池パネル等の被支持物を支持する支柱体に載置され、前記支柱体を固定する錘ブロック構造体において、複数の錘ブロックを積載して多段ブロック群を構成し、各段目ブロック群を１又は複数の錘ブロックで形成する錘ブロック構造体であって、前記各錘ブロックは、断面矩形に形成され、矩形外縁を形成する上下平面、左右平面及び前後平面を有する長尺ブロック本体と、前記上平面に突出形成され、前記前後平面間で前記長尺ブロック本体の長手方向に延出する位置決め突起と、前記下平面に開口形成され、前記長手方向に間隔を隔てて並設されると共に、前記長尺ブロック本体の幅方向に延出して前記左右平面に開口する複数の位置決め横溝と、を含んで備え、第１段目ブロック群は、前記位置決め突起を平行配置して、複数の錘ブロックを前記下平面から前記支柱体に載置して構成され、前記第１段目及び最上段目を除く、各段目ブロック群は、複数の前記位置決め横溝内に、各段目より一段下の各錘ブロックの位置決め突起を嵌め込んで、複数の錘ブロックを前記一段下の各錘ブロックに跨って積載して構成され、前記最上段目ブロック群は、複数の前記位置決め横溝内に、最上段目より一段下の各錘ブロックの位置決め突起を嵌め込んで、１又は複数の錘ブロックを前記第上段より一段下の各錘ブロックに跨って積載して構成されることを特徴とする錘ブロック構造体である。
【０００７】
本考案に係る請求項２では、前記位置決め突起は、前記長尺ブロック本体の幅方向中央に突出形成され、前記各位置決め横溝は、前記長手方向中央の両側に対称配置されると共に、前記左右平面間のブロック幅を超える溝間隔を隔てて並設されることを特徴とする請求項１に記載の錘ブロック構造体である。
【０００８】
本考案に係る請求項３は、前記各錘ブロックは、前記下平面に開口形成され、前記長尺ブロック本体の長手方向に延出すると共に、前記各位置決め横溝に直交して前記前後平面に開口する縦溝を備えることを特徴とする請求項１又は２に記載の錘ブロック構造体である。
【０００９】
本考案に係る請求項４は、複数の錘ブロックを積載して多段ブロック群を構成し、各段目のブロック群を１又は複数の錘ブロックで形成する錘ブロック構造体であって、前記錘ブロックは、長尺ブロック本体と、前記長尺ブロック本体に突出形成され、前記長尺ブロック本体の長手方向に延出する位置決め突起と、前記位置決め突起に対峙して前記長尺ブロック本体に開口形成され、前記長手方向に間隔を隔てて並設されると共に、前記長手方向に直交する幅方向で前記長尺ブロック本体を貫通する複数の位置決め横溝とを含んで備え、前記第１段目ブロック群は、前記位置決め突起を平行配置して、複数の錘ブロックを並設して構成され、前記第１段目及び最上段目を除く、段目ブロック群は、複数の前記位置決め横溝内に一段下の各錘ブロックの前記位置決め突起を嵌込んで、複数の錘ブロックを前記一段下の各錘ブロックに跨って積載して構成され、最上段目ブロック群は、複数の位置決め横溝内に前記最上段目より一段下の各錘ブロックの前記位置決め突起を嵌込んで、１又は複数の錘ブロックを前記最上段目より一段下の各錘ブロックに跨って積載して構成されることを特徴とする錘ブロック構造体である。
【考案の効果】
【００１０】
本考案に係る請求項１では、複数の錘ブロックを積載して多段ブロック群を構成するので、ブロック群の段数、及び各ブロック群を形成する錘ブロック数を適宜選択することで、錘ロック構造体の重量を変更調整できる。
請求項１では、各段目ブロック群の各錘ブロックは相互に直交して積載されるので、複数の錘ブロックを積載して多段ブロック群を構成しても、倒れ難い構造となる。
更に、第１段目及び最上段目を除く段目ブロック群において、各錘ブロックは、各位置決め横溝内に一段下の各錘ブロックの位置決め突起を嵌めんで、更に位置決め突起を一段上の各錘ブロックの各位置決め横溝内に嵌込まれるので、長手方向及び幅方向に移動できない構造となる。
これにより、第１段目及び最上段目を除く段目ブロック群は、各錘ブロックを、位置決め突起及び各位置決め横溝の協働によって、一段下の各錘ブロック及び一段上の各錘ブロック間に固定でき、錘ブロック構造体を倒れ難い構造にできる。
請求項１では、第１段目ブロック群において、複数の位置決め横溝は、長尺ブロック本体の幅方向で錘ロック構造体を貫通する。
これにより、錘ブロック構造体は、風を受けても、各位置決め横溝を通して風を外側に逃すがことができ、風力で倒れ難い構造となる。
このように、請求項１では、錘ブロック構造体の重量を変更調整でき、更に倒れ難い錘ブロック小構造体を構成できるので、支柱体を最適な条件下で固定できる。
【００１１】
本考案に係る請求項２では、位置決め突起を幅方向中央に配置し、各位置決め横溝をブロック幅を超える溝間隔を隔てて並設するので、複数の錘ブロックを積層して多段ブロック群を構成すると、各錘ブロック間に通風隙間を形成できる。
各段目ブロック群の各錘ブロックは、相互に直交して積載されるので、各段目ブロック群の通風隙間も相互に直交して連通される。
これにより、錘ブロック構造体は、風を受けても、各段目ブロック群の通風隙間を通して風を外側に逃がすことができ、風力で倒れ難い構造となる。
【００１２】
本考案に係る請求項３では、第１段目ブロック群において、各錘ブロックの縦溝は、長手方向で錘ブロック構造体の前後平面に貫通する。
これにより、錘ブロック構造体は、風を受けても、各縦溝を通して風を外側に逃がすことができ、風力で倒れ難い構造となる。
【００１３】
本考案に係る請求項４では、複数の錘ブロックを積載して多段ブロック群を構成するので、ブロック群の段数、及び各ブロック群を形成する錘ブロック数を適宜選択することで、錘ロック構造体の重量を変更調整できる。
請求項１では、各段目ブロック群の各錘ブロックは相互に直交して積載されるので、複数の錘ブロックを積載して多段ブロック群を構成しても、倒れ難い構造となる。
更に、第１段目及び最上段目を除く段目ブロック群において、各錘ブロックは、各位置決め横溝内に一段下の各錘ブロックの位置決め突起を嵌めんで、更に位置決め突起を一段上の各錘ブロックの各位置決め横溝内に嵌込むので、長手方向及び幅方向に移動できない構造となる。
これにより、第１段目及び最上段目を除く段目ブロック群は、各錘ブロックを、位置決め突起及び各位置決め横溝の協働によって、一段下の各錘ブロック及び一段上の各錘ブロック間に固定でき、錘ブロック構造体を倒れ難い構造にできる。
請求項４では、第１段目ブロック群において、複数の位置決め横溝は、長尺ブロック本体の幅方向で錘ロック構造体を貫通する。
これにより、錘ブロック構造体は、風を受けても、各位置決め横溝を通して風を外側に逃すがことができ、風力で倒れ難い構造となる
【図面の簡単な説明】
【００１４】
【図１】錘ブロック構造体、及び各段目ブロック群を示す斜視図である。
【図２】図１の要部拡大前面図である。
【図３】図１の要部拡大右面図である。
【図４】位置決め横溝及び位置決め突起の嵌込みを示す要部拡大図である。
【図５】錘ブロックを示す斜視図である。
【図６】錘ブロックを示す図であって、（ａ）は前面図、（ｂ）は上面図である。
【図７】錘ブロックを示す図であって、（ａ）は下面図、（ｂ）は右面図である。
【図８】錘ブロックを示す図であって、（ａ）はコンクリート、又は金属等で成形する図６（ｂ）のＡーＡ断面図、（ｂ）は樹脂及びコンクリートで成形する図３（ｂ）のＡ−Ａ断面図である。
【図９】錘ブロック構造体を示す図であって、溝間隔をブロック幅と同一にする前面図である。
【図１０】錘ブロック構造体を太陽電池パネルを支持する支持体に適用（適用例１）した斜視図である。
【図１１】図１０のＢ矢視拡大図である。
【図１２】錘ブロック構造体を太陽電池パネルを支持する支柱体に適用（適用例２）した斜視図である。
【図１３】図１２のＣ矢視拡大図である。
【考案を実施するための形態】
【００１５】
本考案に係る錘ブロック構造体について、図１乃至図１３を参照して説明する。
【００１６】
＜錘ブロック構造体＞
図１乃至図９において、錘ブロック構造体（Ｘ）は、複数の錘ブロック（Ｙ）を積載して、多段ブロック群（Ｚ）を構成する。
多段ブロック群（Ｚ）は、例えば、第１段目ブロック群（Ｚ１）、第２段目ブロック群（Ｚ２）及び第３段目ブロック群（Ｚ３）で構成する。
第３段目ブロック群（Ｚ３）は、最上段目ブロック群となる（以下、「最上段目ブロック群Ｚ３」とも称する）。
第２段目ブロック群（Ｚ２）は、第１段目及び第上段目を除く段目ブロック群となる。
なお、多段ブロック群（Ｚ）は、３段に限定されず、２段、４段、５段、…、Ｎ段［Ｎ＝２，３，４，・・・Ｎ（Ｎ：整数）］
【００１７】
第１及び第２段目ブロック群（Ｚ１），（Ｚ２）は、複数（３つ）の錘ブロック（Ｙ）で形成される。
第３段目ブロック群（Ｚ３）は、１又は複数（３つ）の錘ブロック（Ｙ）で形成される。
【００１８】
＜錘ブロック＞
図５乃至図８において、各錘ブロック（Ｙ）は、長尺ブロック本体（１）、位置決め突起（２）、複数（３本）の位置決め横溝（３）、縦溝（５）及び複数（２つ）の把手穴（６）を備える。
【００１９】
各錘ブロック（Ｙ）は、図８（ａ）に示すように、中実体に形成され、例えば、コンクリート又は鉄、アルミニウム等の金属で成形する。
【００２０】
また、各錘ブロック（Ｙ）は、図８（ｂ）に示すように、位置決め突起（２）、各位置決め横溝（３）、縦溝（５）及び各把手穴（６）を合成樹脂で一体成形した中空体（Ｙ１）を有し、中空体（Ｙ１）にコンクリートを充填して構成する。
これにより、各錘ブロック（Ｙ）は、コンクリートを合成樹脂で被覆するので、コンクリートの劣化を抑制できる。
【００２１】
長尺ブロック体（１）は、図５乃至図８に示すように、断面矩形の直方体に形成される。
長尺ブロック体（１）は、上下平面（１Ａ），（１Ｂ）、左右平面（１Ｃ），（１Ｄ）及び前後平面（１Ｅ），（１Ｆ）を有し、各平面（１Ａ）〜（１Ｆ）で矩形外縁（１Ｘ）［直方体の各平面］を形成する。
【００２２】
位置決め突起（２）は、図５乃至図８に示すように、長尺ブロック本体（１）の上平面（１Ａ）に突出形成され、前後平面（１Ｅ），（１Ｆ）間で長尺ブロック本体（１）の長手方向（Ｎ）に延出する。
位置決め突起（２）は、幅方向（Ｈ）において、長尺ブロック本体（１）の幅方向中央に配置される［図５及び図６（ａ）参照］。幅方向（Ｈ）は、長手方向（Ｎ）に直交する方向である。
【００２３】
また、位置決め突起（２）は、例えば、断面台形に形成され、上平面（１Ａ）から高さ方向（Ｌ）の上方（Ｌ１）に突出する。高さ方向（Ｌ１）は、長手方向（Ｎ）及び幅方向（Ｈ）に直交する方向である。
位置決め突起（２）の断面台形は、左右側平面（２Ａ），（２Ｂ）を有する。左側平面（２Ａ）は幅方向中心線（ａ）及び左平面（１Ｃ）間で上平面（１Ａ）に連続し、幅方向中心線（ａ）側に向けて傾斜される。
右側平面（２Ｂ）は幅方向中心線（ａ）及び右平面（１Ｃ）間で上平面（１Ａ）に連続し、幅方向中心線（ａ）に向けて傾斜される。
【００２４】
複数の位置決め横溝（３）は、図５乃至図８に示すように、位置決め突起（２）に対峙して長尺ブロック本体（１）の下平面（１Ｂ）に開口形成される。
複数の位置決め横溝（３）は、例えば、中央・位置決め横溝（３）、前側・位置決め横溝（３）及び後側・位置決め横溝（３）で構成される。
中央・位置決め横溝（３）は、長手方向（Ｎ）中央に配置される。
前後側・位置決め横溝（３），（３）は、長手方向（Ｎ）中央の両側に対称配置される。
各位置決め横溝（３）は、長手方向（Ｎ）に溝間隔（Ｇ）を隔てて並設される。溝間隔（Ｇ）は、各位置決め横溝（３）の長手方向中心線（ｂ）間であって、左右平面（１Ｃ），（１Ｄ）間のブロック幅（ｈ）を超える間隔である。
前後側・位置決め横溝（３），（３）は、ブロック幅（ｈ）を超えて、２倍の溝間隔（Ｇ）を隔てて並設される。
各位置決め横溝（３）は、幅方向（Ｈ）で長尺ブロック本体（１）を貫通する。各位置決め横溝（３）は、幅方向（Ｈ）に延出して左右平面（１Ｃ），（１Ｄ）に開口する。
【００２５】
また、各位置決め横溝（３）は、例えば、断面台形に形成され、位置決め突起（２）と同一形状（台形）である。各位置決め横溝（３）の断面台形は、左右側溝側面（３Ａ），（３Ｂ）を有する。
前側・位置決め横溝（３）において、左側溝側面（３Ａ）は、前平面１Ｅ側で下平面１Ｂに連続し、上平面（１Ａ）側に延出しつつ後平面（１Ｆ）側に傾斜される。左側溝側面（３Ｂ）は、中央・位置決め横溝（３）側で下平面（１Ｂ）に連続し、上平面（１Ａ）側に延出しつつ前平面（１Ｅ）側に傾斜される。
中央・位置決め横溝（３）において、左側溝側面（３Ａ）は、前側・位置決め横溝（３）側で下平面１Ｂに連続し、上平面（１Ａ）側に延出しつつ後平面（１Ｆ）側に傾斜される。右側溝側面（３Ｂ）は、後側・位置決め横溝（３）側で下平面（１Ｂ）に連続し、上平面（１Ａ）側に延出しつつ前平面（１Ｅ）側に傾斜される。
後側・位置決め横溝（３）において、左側溝側面（３Ａ）は、中央・位置決め横溝（３）側で下平面（１Ｂ）に連続し、上平面（１Ａ）側に延出しつつ後平面（１Ｆ）側に傾斜される。右側溝側面（３Ｂ）は、後平面（１Ｆ）側で下平面（１Ｂ）に連続し、上平面（１Ａ）側に延出しつつ前平面（１Ｅ）側に傾斜される。
【００２６】
縦溝（５）は、図５乃至図８に示すように、下平面（１Ｂ）に開口形成され、前後平面（１Ｅ），（１Ｆ）間で長尺ブロック本体（１）の長手方向（Ｎ）に延出する。
縦溝（５）は、各位置決め横溝（３）に直交して前後平面（１Ｅ），（１Ｆ）に開口する。
縦溝（５）は、幅方向（Ｈ）中央に配置され、位置決め突起（２）に平行して長手方向（Ｎ）に延在する。
【００２７】
また、縦溝（５）は、例えば、断面台形溝に形成され、各位置決め横溝（３）と同一形状（台形）である。
縦溝（５）において、断面台形溝は、左右溝側面（５Ａ），（５Ｂ）を有する。左溝側面（５Ａ）は、幅方向中心線（ａ）及び左平面（１Ｃ）間で下平面（１Ｂ）に連続し、上平面（１Ａ）側に延出しつつ幅方向中心線（ａ）側に向けて傾斜される。右側溝側面（５Ｂ）は、幅方向中心線（ａ）及び右平面（１Ｂ）間で下平面（１Ｂ）に連続し、上平面（１Ａ）側に延出しつつ幅方向中心線（ａ）側に傾斜される。
【００２８】
複数の把手穴（６）は、図５乃至図８に示すように、前後平面（１Ｅ），（１Ｆ）の夫々に開口形成される。
各把手穴（６）は、長尺ブロック本体（１）の高さ方向（Ｌ）において、位置決め突起（３）及び縦溝（５）間に位置して、長手方向Ｎに長尺ブロック体（１）内を延出する。
【００２９】
＜錘ブロック構造体の具体構成＞
次に、錘ブロック構造体（Ｘ）の具体構成について、図１乃至図４を参照して説明する。
【００３０】
図１乃至図３において、錘ブロック構造体（Ｘ）は、複数の錘ブロック（Ｙ）を積載して、多段ブロック群（Ｚ）を構成し、例えば、第１段目ブロック群（Ｚ１）、第２段目ブロック群（Ｚ２）及び第３段目ブロック群（Ｚ３）で構成する。
錘ブロック構造体（Ｘ）では、第１段目ブロック群（Ｚ）を構成し、第１段目ブロック群（Ｚ１）上に第２段目ブロック群（Ｚ２）を構成し、更に第２段目ブロック群（Ｚ２）上に第３段目ブロック群（Ｚ３）を構成する。
【００３１】
第１段目ブロック群（Ｚ１）は、図１に示すように、位置決め突起（３）を平行配置して、複数（３つ）の錘ブロック（Ｙ）を並設して構成される。
各錘ブロック（Ｙ）は、各位置決め突起（２）の幅方向中心線（ａ）間を溝間隔（Ｇ）にして、長尺ブロック本体（１）の幅方向（Ｈ）に並設される。
これにより、各錘ブロック（Ｙ）間には、第１通風隙間（ｔ）が形成され、第１通風隙間（ｔ１）は長尺ブロック本体（１）の長手方向（Ｎ）で第１段目ブロック群（Ｚ１）を貫通する。
また、各錘ブロック（Ｙ）の各位置決め横溝（３）は、長尺ブロック本体（１）の幅方向（Ｈ）で第１段目ブロック群（Ｚ１）を貫通し、更に縦溝（５）は、長尺ブロック本体（１）の長手方向Ｎで第１ブロック群（Ｚ１）を貫通する。
なお、第１段目ブロック群（Ｚ１）では、長尺ブロック本体（１）の幅方向（Ｈ）において、幅方向中央に錘ブロックを配置することなく、幅方向中央両側の各錘ブロック（Ｙ）で形成できる。
また、錘ブロック（Ｙ）を積載する作業者は、各錘ブロック（Ｙ）の各把手穴（６）を掴んで持上げることで、各錘ブロック（Ｙ）を並設できる
【００３２】
第２段目ブロック群（Ｚ１）は、複数の位置決め横溝（３）内に、一段下（第１段目）の各錘ブロック（Ｙ）の位置決め突起（２）を嵌込んで、複数（３つ）の錘ブロック（Ｙ）を一段下の各錘ブロック（Ｙ）の上平面（１Ａ）に積載して構成される。
第２段目ブロック群（Ｚ２）において、各錘ブロック（Ｙ）は、長尺ブロック本体（１）を一段下の各錘ブロック（Ｙ）の長尺ブロック本体（１）に直交配置する。また、各錘ブロック（Ｙ）の各位置決め横溝（３）を、一段下の各錘ブロック（Ｙ）の位置決め突起（２）に対峙する。
第２段目ブロック群（Ｚ２）において、各錘ブロック（Ｙ）は、下平面（１Ｂ）から一段下の各錘ブロック（Ｙ）に向けて降ろし、各位置決め横溝（３）内に一段下の各錘ブロック（Ｙ）の位置決め突起（３）を嵌め込んで、一段下の各錘ブロック（Ｙ）の上平面（１Ａ）に積載する。このとき、各錘ブロック（Ｙ）の各位置決め横溝（３）において、左右名側面（３Ａ），（Ｂ）は、図２に示すように、一段下（第１段目）の各位置決め突起（２）の左右側面（２Ａ），（２Ｂ）に密着当接される。また、各位置決め横溝（３）の長手方向中心線（ｂ）及び位置決め突起（３）の幅方向中心線（ａ）は一致する。
これにより、第２段目ブロック群（Ｚ２）において、各錘ブロック（Ｙ）は、位置決め横溝（３）及び一段下（第一段目）の位置決め突起（２）の協働で、長尺ブロック本体（１）の長手方向（Ｎ）への移動が規制される。
また、第１段目ブロック群（Ｚ１）において、各錘ブロック（Ｙ）は、位置決め突起（２）及び一段上（第２段目）の各位置決め横溝（３）の協働で、長尺ブロック本体（１）の幅方向（Ｈ）への移動が規制される。
【００３３】
また、第２段目ブロック群（Ｚ２）において、各錘ブロック（Ｙ）を、一段下の各ブロック（Ｙ）の位置決め突起（２）に沿って長手方向（Ｎ）に摺動し、各位置決め突起（２）の幅方向中心線（ａ）間を溝間隔（Ｇ）にする。
これにより、各錘ブロック（Ｙ）の間には、通風隙間（ｔ２）が形成され、第２通風隙間（ｔ２）は長尺ブロック本体（１）の長手方向（Ｎ）で第２段目ブロック群（Ｚ２）を貫通する。また、第２通風隙間（ｔ２）は、第１通風隙間（ｔ１）に直交して、第１通風隙間（ｔ１）に連通される。
なお、第２段目ブロック群（Ｚ２）では、長尺ブロック本体（１）の幅方向（Ｈ）において、幅方向中央に錘ブロックを配置することなく、幅方向中央両端の各錘ブロック（Ｙ）で形成できる。
また、作業者は、各錘ブロック（Ｙ）の各把手穴（６）を掴んで持上げることで、各錘ブロックを第１段目ブロック群（Ｚ１）の各錘ブロック（Ｙ）に積載できる。
【００３４】
最上段目ブロック群（Ｚ３：第３段目ブロック群）は、複数の位置決め横溝（３）内に、最上段より一段下（第２段目）の各錘ブロック（Ｙ）の位置決め突起（２）を嵌込んで、１又は複数の錘ブロック（Ｙ）を最上段より一段下の各錘ブロック（Ｙ）の上平面（１Ａ）に積載して構成される。
最上段目ブロック群（Ｚ３）において、各錘ブロック（Ｙ）は、下平面（１Ｂ）から長尺ブロック本体（１）を最上段目より一段下の各錘ブロック（Ｙ）の長尺ブロック本体（１）に直交配置する。また、各錘ブロック（Ｙ）の各位置決め横溝（３）を最上段より一段下の各錘ブロックの位置決め突起（２）に対峙する。
最上段目ブロック群（Ｚ３）において、各錘ブロック（Ｙ）は、最上段より一段下の各錘ブロック（Ｙ）に向けて降ろし、各位置決め横溝（３）内に最上段より一段下の各錘ブロック（Ｙ）の位置決め突起（３）を嵌込んで、最上段より一段下の各錘ブロック（Ｙ）の上平面（１Ａ）に積載する。このとき、各錘ブロック（Ｙ）の各位置決め横溝（３）において、左右名側面（３Ａ），（Ｂ）は、図３に示すように、一段下（第２段目）の各位置決め突起（２）の左右側面（２Ａ），（２Ｂ）に密着当接される。また、各位置決め横溝（３）の長手方向中心線（ｂ）及び位置決め突起（２）の幅方向中心線（ａ）は一致する。
これにより、最上段目ブロック群（Ｚ３）において、各錘ブロック（Ｙ）は、位置決め横溝（３）及び一段下（第２段目）の位置決め突起（２）の協働で、長尺ブロック本体（１）の長手方向（Ｎ）への移動が規制される。
また、第２段目ブロック群（Ｚ２）において、各錘ブロック（Ｙ）は、位置決め突起（２）及び一段上（第２段目）の各位置決め横溝（３）の協働で、長尺ブロック本体（１）の幅方向（Ｈ）への移動が規制される。
そして、図１に示すように、第１段目及び第３段目を含む奇数段目ブロック群において、各錘ブロック（Ｙ）は幅中心線（ａ）を一致させて積載され、更に第２段目を含む偶数段目ブロック群において、各錘ブロック（Ｙ）は幅方向中心線（ａ）を一致させて積載される。
これにより、錘ロック構造体（Ｘ）は、各錘ブロック（Ｙ）を均等に積載できることから、重量の偏りを抑制できる。
【００３５】
また、最上段目ブロック群（Ｚ３）において、各錘ブロック（Ｙ）を、最上段より一段下の各錘ブロックの位置決め突起（２）に沿って長手方向（Ｎ）に摺動して、各位置決め突起（２）の幅方向中心線（ａ）間を溝間隔（Ｇ）にする。
これにより、各錘ブロック（Ｙ）の間には、第３通風隙間（ｔ３）が形成され、第３通風隙間（ｔ３）は長尺ブロック本体（１）の長手方向（Ｎ）で最上段目ブロック群（Ｚ３）を貫通する。第３通風隙間（ｔ３）は、第２通風隙間（ｔ）に直交して、第２通風隙間（ｔ２）に連通される。また、第３通風隙間（ｔ３）は、第１通風隙間（ｔ１）に平行して、第２通風隙間（ｔ２）を通して第１通風隙間（ｔ）に連通される。
なお、最上段目ブロック群（Ｚ３）では、錘ブロック（Ｙ）の積載数を適宜選択して、各錘ブロック（Ｙ）を第２段目ブロック群（Ｚ２）の各錘ブロック（Ｙ）に積層できる。
また、作業者は、各錘ブロック（Ｙ）の各把手穴（６）を掴んで持上げることで、各錘ブロック（Ｙ）を第２段目ブロック群（Ｚ２）の各錘ブロック（Ｙ）に積載できる。
このように、複数の錘ブロック（Ｙ）を積層して、多段ブロック群（Ｚ）を構成することで、錘ブロック構造体（Ｘ）を形成する。
【００３６】
また、第２段目ブロック群（Ｚ２）、及最上段目（第３段目）ブロック群（Ｚ３）において、各位置決め横溝（３）内に位置決め突起（２）を嵌込む際、図４に示すように、各位置決め横溝（３）が位置決め突起（２）に対して長手方向（Ｎ）にずれていても、各位置決め横溝（３）の一方側の左溝側面（３Ａ）［又は右側溝側面（３Ｂ）］は、位置決め突起（２）の一方側の左側面（３Ｂ）［又は右側面（３Ｂ）］に当接される。
そして、各錘ブロック（Ｙ）を降ろして、一段下の各錘ブロック（Ｙ）に積載する際、各位置決め横溝（３）は位置決め突起（３）の一方側の左側面（２Ａ）［又は右側面（２Ｂ）］でずれを吸収しつつ斜めに摺動案内され、位置決め突起（２）を嵌込む。
これにより、各位置決め横溝（３）及び位置決め突起（２）は、相対的にずれていても、各位置決め横溝（３）内に位置決め突起（２）を嵌込むことができる。
【００３７】
錘ブロック構造体（Ｘ）を、各ブロック群（Ｚ１），（Ｚ２），（Ｚ３）で構成すると、第１段目ブロック群の各錘ブロック（Ｙ）において、位置決め突起（２）は一段上（第２段目）の各錘ブロック（Ｙ）の各位置決め横溝（３）内に嵌込まれるので、各錘ブロック（Ｙ）は、長尺ブロック本体（１）の幅方向（Ｈ）に移動しない。
第２段目ブロック群（Ｚ２）の各錘ブロック（Ｙ）において、各位置決め横溝（３）は、一段下（第１段目）の各錘ブロック（Ｙ）の位置決め突起（３）を嵌込んでいるので、長尺ブロック体（１）の長手方向（Ｎ）に移動しない。また、位置決め突起（３）は、一段上（最上段目）の各錘ブロック（Ｙ）の各位置決め横溝（３）内に嵌込まれるので、長尺ブロック本体（１）の幅方向（Ｈ）に移動しない。
これにより、第１段目及び最上段目を除く段目ブロック群（Ｚ２）において、各錘ブロック（Ｙ）は、第１段目及び最上段目ブロック群（Ｚ１），（Ｚ３）の各錘ブロック（Ｙ）との協働によって、第１段目及び最上段目の各錘ブロック（Ｙ）間に固定される。
なお、最上段目ブロック群（Ｚ３）では、１の錘ブロック（Ｙ）又は２の錘ブロック（Ｙ）を最上段より一段下（第２段目）の各錘ブロック（Ｙ）に積載できる。
【００３８】
錘ブロック構造体（Ｘ）において、第１乃至第３通風隙間（ｔ１），（ｔ２），（ｔ３）は相互に連通して、錘ブロック構造体（Ｘ）の前後、左右及び上に貫通する。
第１段目ブロック群（Ｚ１）において、各錘ブロック（Ｙ）の位置決め横溝（３）は、長尺ブロック本体（１）の幅方向（Ｈ）で錘ブロック構造体（Ｘ）の左右に貫通し、各錘ブロック（Ｙ）の縦溝（５）は、長尺ブロック体（１）の長手方向（Ｎ）で錘ブロック構造体（Ｘ）を貫通する。
これにより、錘ブロック構造体（Ｘ）は、風を受けても、各位置決め横溝（３）、縦溝（５）及び第１乃至第３通風隙間（ｔ１）〜（ｔ３）を通して風を外側に逃がすことができ、風力で倒れ難い構造となる。
【００３９】
このように、錘ブロック構造体（Ｘ）では、複数の錘ブロック（Ｙ）を積載して多段ブロック群（Ｚ）を構成でき、ブロック群の段差数及び各ブロック群の錘ブロック数を適宜選択することで、錘ロック構造体（Ｚ）の重量を変更調整できる。
【００４０】
また、錘ロック構造体（Ｘ）では、奇数段目である第１、第３段目ブロック群（Ｚ１），（Ｚ３）の錘ブロック（Ｙ）、及び偶数段目である第２段目ブロック群（Ｚ２）の各錘ブロック（Ｙ）を相互に直交して積載するので、複数の錘ブロック（Ｙ）を積載して多段ブロック群（Ｚ）を構成しても、倒れ難い構造となる。
【００４１】
錘ブロック構造体（Ｘ）において、錘ブロックの断面は、断面矩形に限定されず、断面多角形、断面円形又は断面楕円形等を採用できる。
【００４２】
錘ブロック構造体（Ｘ）では、図９に示すように、溝間隔（Ｇ）をブロック幅（Ｈ１）と同一にできる。
これにより、各段目ブロック群（Ｚ１），（Ｚ２），（Ｚ３）では、図９に示すように、各錘ブロック（Ｙ）の左右平面（１Ｃ），（Ｄ）を相互に接触させて積載でき、各錘ブロック（ｙ）間の摩擦により倒れ難い構造となる。
【００４３】
＜錘ブロック構造体の適用例＞
次に、錘ブロック構造体（Ｘ）の適用例１及び適用例２について、図１０及び図１３を参照して説明する。
なお、図１０乃至図１３において、図１乃至図９と同一符号は同一部材又は同一構成であるので、その詳細な説明は省略する。
【００４４】
＜適用例１＞
図１０において、錘ブロック構造体（Ｘ）は、太陽電池パネル（Ｓ：被支持物）を支持する支柱体（Ａ）に載置され、支柱体（Ａ）を固定する。
【００４５】
支持体（Ａ）は、図１０に示すように、太陽電池パネル（Ｓ）を支持する架台であって、複数（４本）の支柱（５１）、及び支柱台枠（５２）で構成される。各支柱（５１）は、例えば、鋼又はアルミニウム合金等の金属で形成される。
支柱台枠（５２）は、各支柱（５１）と同一金属で形成され、複数（４本）のＬ字金属材（５３）で矩形枠を形成し、各角部に各支柱（５１）底側を固定してなる。また、支柱台枠（５２）は、屋上又は地面に載置され、各支柱（５１）を介して太陽電池パネル（Ｓ）を屋上又は地面に設置する。
各Ｌ字金属板（５３）は、屋上又は地面に直交する垂直平板（５３Ａ）、及び屋上又は地面に載置される水平平板（５３Ｂ）で形成される。
【００４６】
図１０及び図１１において、錘ブロック構造体（Ｘ）は、複数用意し、各支柱（５１）近傍に配置され、支柱台枠（５２）上に載置される。
各錘ブロック構造体（Ｘ）において、図１乃至図４で説明したと同様、位置決め突起（２）を平行配置して、複数（３つ）の錘ブロック（Ｙ）を下平面（１Ｂ）から支柱体（Ａ）に載置して、第１段目ブロック群（Ｚ１）を構成する。
第１段目ブロック群（Ｚ１）において、各垂直ブロック（Ｙ）は、図１０及び図１１に示すように、例えば、長手方向（Ｎ）の一端側にある位置決め横溝（３）内にＬ字金属板（５３）の垂直平板（５３Ａ）を挿入する。また、第１段目ブロック群（Ｚ１）において、各錘ブロック（Ｙ）は、下平面（１Ｂ）からＬ字金属板（５３）の水平平板（５３Ｂ）に載置される。
これにより、第１段目ブロック群（Ｚ１）において、各錘ブロック（Ｙ）は、支柱台枠（５２）を利用して、支持体（Ａ）を固定できる。また、各錘ブロック（Ｙ）は、Ｌ字金属板（５３）の垂直平板（５３Ａ）を位置決め横溝（３）内に挿入して、支柱体（Ａ）を固定できる。
続いて、図１乃至図４で説明したと同様、第２段目ブロック群（Ｚ２）を構成し、更に第３段目ブロック群（Ｚ３）を構成する。
各錘ブロック構造体（Ｘ）では、錘ブロック（Ｙ）の積載数、ブロック群の段数を適宜選択して、支柱体［Ａ：各支柱（５１）］を固定できる重量に調整する。
【００４７】
上記の如く、各錘ブロック構造体（Ｘ）では、支持体（Ａ）を固定する重量を変更調整でき、更に倒れ難い錘ブロック構造体を構成できるので、支柱体（Ａ）を最適な条件で固定できる。
【００４８】
＜適用例２＞
図１２において、錘ブロック構造体（Ｘ）は、太陽電池パネル（Ｓ：被支持物）を支持する支持体（Ａ）に載置され、支持体（Ａ）を固定する。
【００４９】
図１２及び図１３において、支柱体（Ａ）は、図１０及び図１１と同様、複数（４本）の支柱（５１）、支柱台枠（５２）で構成され、更に、複数の台座平板（５５）を備えている。各台座平板（５５）は、図１２に示すように、左右方向（Ｕ）において、左右支柱（５１）近傍に位置して、前後方向（Ｗ）に延出される。前後方向（Ｗ）にある各Ｌ字金属材（５３）において、各台座平板（５５）は、水平平板（５３Ｂ）に載置される。
【００５０】
図１２及び図１３において、錘ブロック構造体（Ｘ）は、複数用意し、各支柱（５１）近傍に配置され、各台座平板（５５）上に載置される。
各錘ブロック構造体（Ｘ）において、図１乃至図４で説明したと同様、位置決め突起（２）を平行配置して、複数（３つ）の錘ブロック（Ｙ）を下平面（１Ｂ）から支柱体［Ａ：各台座平板（５５）］に載置して、第１段目ブロック群（Ｚ１）を構成する。
続いて、図１乃至図４で説明したと同様、第２段目ブロック群（Ｚ２）を構成し、更に第３段目ブロック群（Ｚ３）を構成する。
各錘ブロック構造体（Ｘ）では、錘ブロック（Ｙ）の積載数、ブロック群の段数を適宜先駆して、各支柱（５１）を固定できる重量に調整する。
上記の如く、錘ブロック構造体（Ｘ）では、重量を変更調整でき、更に倒れ難い錘ブロック構造体を構成できるので、支柱体（Ａ）を最適な条件下で固定できる。
【００５１】
なお、錘ブロック構造体（Ｘ）は、太陽電池パネル（Ｓ）を支持する支柱体（Ａ）に限定されず、宣伝用旗（被支持物）を支持する支柱体、洗濯物を吊下支持する支柱体（洗濯）に載置して、支柱体を固定できる。
【産業上の利用可能性】
【００５２】
本考案は、太陽電池パネル等の被支持物を支持する支柱体を固定するのに最適である。
【符号の説明】
【００５３】
Ｘ  錘ブロック構造体
Ｚ１  第１段目ブロック群
Ｚ２  第２段目ブロック群（第１段目及び最上段を除く段目ブロック群）
Ｚ３  第３段目ブロック群（最上段目ブロック群）
Ｙ  錘ブロック
１  長尺ブロック本体
１Ａ  上平面
１Ｂ  下平面
１Ｃ  左平面
１Ｄ  右平面
１Ｅ  前平面
１Ｆ  後平面
２  位置決め突起
３  位置決め横溝
【図１】
0003183188.tif 000003
【図２】
0003183188.tif 000004
【図３】
0003183188.tif 000005
【図４】
0003183188.tif 000006
【図５】
0003183188.tif 000007
【図６】
0003183188.tif 000008
【図７】
0003183188.tif 000009
【図８】
0003183188.tif 000010
【図９】
0003183188.tif 000011
【図１０】
0003183188.tif 000012
【図１１】
0003183188.tif 000013
【図１２】
0003183188.tif 000014
【図１３】
0003183188.tif 000015